【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
遊技の制御を行う遊技制御手段と、
遊技制御手段から送信される制御情報に基づいて演出の制御を行う演出制御手段と、
遊技者が表示結果を導出させるために操作する導出操作手段と、
価値の付与を伴う識別情報の組合せと付与される価値とが対応付けて表示される配当表示手段と、
を備え、
前記遊技制御手段は、
表示結果が導出される前に、導出が許容される表示結果の組合せを決定する事前決定手段と、
前記表示結果を導出する制御を行う導出制御手段と、
遊技に関連する情報を外部出力する制御を行う外部出力制御手段と、
を含み、
前記導出制御手段は、前記事前決定手段の決定結果が所定結果である場合に、第１操作態様で操作されたときと第２操作態様で操作されたときとで有利度が変わらない表示結果の組合せを導出させる制御を行い、
前記外部出力制御手段は、前記事前決定手段の決定結果が所定結果であり、かつ前記第１操作態様で操作されたときに、特定の外部出力情報を出力する制御を行い、
前記演出制御手段は、
前記事前決定手段の決定結果が前記所定結果となった場合に、前記第１操作態様で操作させるか否かを判定する導出判定手段と、
前記導出判定手段が、前記第１操作態様で操作させると判定した場合に、前記第１操作態様を報知し、前記第１操作態様で操作させないと判定した場合に、前記第２操作態様を報知する操作態様報知手段と、
を含む、スロットマシン。
【請求項２】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンであり、
遊技の制御を行う遊技制御手段と、
遊技制御手段から送信される制御情報に基づいて演出の制御を行う演出制御手段と、
遊技者が表示結果を導出させるために操作する導出操作手段と、
価値の付与を伴う識別情報の組合せと付与される価値とが対応付けて表示される配当表示手段と、
を備え、
前記遊技制御手段は、
表示結果が導出される前に、導出が許容される表示結果の組合せを決定する事前決定手段と、
前記表示結果を導出する制御を行う導出制御手段と、
遊技に関連する情報を外部出力する制御を行う外部出力制御手段と、
を含み、
前記導出制御手段は、前記事前決定手段の決定結果が所定結果である場合に、第１操作態様で操作されたときと第２操作態様で操作されたときとで有利度が変わらない表示結果の組合せを導出させる制御を行い、
前記外部出力制御手段は、前記事前決定手段の決定結果が所定結果であり、かつ前記第１操作態様で操作されたときに、特定の外部出力情報を出力する制御を行い、
前記演出制御手段は、
前記事前決定手段の決定結果が前記所定結果となった場合に、前記第１操作態様で操作させるか否かを判定する導出判定手段と、
前記導出判定手段が、前記第１操作態様で操作させると判定した場合に、前記第１操作態様を報知し、前記第１操作態様で操作させないと判定した場合に、前記第２操作態様を報知する操作態様報知手段と、
を含むスロットマシンから出力された前記特定の外部出力情報を受信可能な遊技用装置であって、
前記スロットマシンから出力された前記特定の外部出力情報を受信した回数を計数する特定回数計数手段と、
前記特定回数計数手段が計数した前記特定の外部出力情報の受信回数を表示する回数表示手段と、
を備える、遊技用装置。
【請求項３】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンであり、
遊技の制御を行う遊技制御手段と、
遊技制御手段から送信される制御情報に基づいて演出の制御を行う演出制御手段と、
遊技者が表示結果を導出させるために操作する導出操作手段と、
価値の付与を伴う識別情報の組合せと付与される価値とが対応付けて表示される配当表示手段と、
を備え、
前記遊技制御手段は、
表示結果が導出される前に、導出が許容される表示結果の組合せを決定する事前決定手段と、
前記表示結果を導出する制御を行う導出制御手段と、
遊技に関連する情報を外部出力する制御を行う外部出力制御手段と、
を含み、
前記導出制御手段は、前記事前決定手段の決定結果が所定結果である場合に、第１操作態様で操作されたときと第２操作態様で操作されたときとで有利度が変わらない表示結果の組合せを導出させる制御を行い、
前記外部出力制御手段は、前記事前決定手段の決定結果が所定結果であり、かつ前記第１操作態様で操作されたときに、特定の外部出力情報を出力する制御を行い、
前記演出制御手段は、
前記事前決定手段の決定結果が前記所定結果となった場合に、前記第１操作態様で操作させるか否かを判定する導出判定手段と、
前記導出判定手段が、前記第１操作態様で操作させると判定した場合に、前記第１操作態様を報知し、前記第１操作態様で操作させないと判定した場合に、前記第２操作態様を報知する操作態様報知手段と、
を含むスロットマシンと、
該スロットマシンから出力された前記特定の外部出力情報を受信可能な遊技用装置と、
からなり、
前記遊技用装置は、
前記スロットマシンから出力された前記特定の外部出力情報を受信した回数を計数する特定回数計数手段と、
前記特定回数計数手段が計数した前記特定の外部出力情報の受信回数を表示する回数表示手段と、
を備える、遊技用システム。
【手続補正２】
【補正対象書類名】明細書
【補正対象項目名】００１０
【補正方法】変更
【補正の内容】
【００１０】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
遊技の制御を行う遊技制御手段と、
遊技制御手段から送信される制御情報に基づいて演出の制御を行う演出制御手段と、
遊技者が表示結果を導出させるために操作する導出操作手段と、
価値の付与を伴う識別情報の組合せと付与される価値とが対応付けて表示される配当表示手段と、
を備え、
前記遊技制御手段は、
表示結果が導出される前に、導出が許容される表示結果の組合せを決定する事前決定手段と、
前記表示結果を導出する制御を行う導出制御手段と、
遊技に関連する情報を外部出力する制御を行う外部出力制御手段と、
を含み、
前記導出制御手段は、前記事前決定手段の決定結果が所定結果である場合に、第１操作態様で操作されたときと第２操作態様で操作されたときとで有利度が変わらない表示結果の組合せを導出させる制御を行い、
前記外部出力制御手段は、前記事前決定手段の決定結果が所定結果であり、かつ前記第１操作態様で操作されたときに、特定の外部出力情報を出力する制御を行い、
前記演出制御手段は、
前記事前決定手段の決定結果が前記所定結果となった場合に、前記第１操作態様で操作させるか否かを判定する導出判定手段と、
前記導出判定手段が、前記第１操作態様で操作させると判定した場合に、前記第１操作態様を報知し、前記第１操作態様で操作させないと判定した場合に、前記第２操作態様を報知する操作態様報知手段と、
を含む
ことを特徴としている。
本発明の請求項２に記載の遊技用装置は、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンであり、
遊技の制御を行う遊技制御手段と、
遊技制御手段から送信される制御情報に基づいて演出の制御を行う演出制御手段と、
遊技者が表示結果を導出させるために操作する導出操作手段と、
価値の付与を伴う識別情報の組合せと付与される価値とが対応付けて表示される配当表示手段と、
を備え、
前記遊技制御手段は、
表示結果が導出される前に、導出が許容される表示結果の組合せを決定する事前決定手段と、
前記表示結果を導出する制御を行う導出制御手段と、
遊技に関連する情報を外部出力する制御を行う外部出力制御手段と、
を含み、
前記導出制御手段は、前記事前決定手段の決定結果が所定結果である場合に、第１操作態様で操作されたときと第２操作態様で操作されたときとで有利度が変わらない表示結果の組合せを導出させる制御を行い、
前記外部出力制御手段は、前記事前決定手段の決定結果が所定結果であり、かつ前記第１操作態様で操作されたときに、特定の外部出力情報を出力する制御を行い、
前記演出制御手段は、
前記事前決定手段の決定結果が前記所定結果となった場合に、前記第１操作態様で操作させるか否かを判定する導出判定手段と、
前記導出判定手段が、前記第１操作態様で操作させると判定した場合に、前記第１操作態様を報知し、前記第１操作態様で操作させないと判定した場合に、前記第２操作態様を報知する操作態様報知手段と、
を含むスロットマシンから出力された前記特定の外部出力情報を受信可能な遊技用装置であって、
前記スロットマシンから出力された前記特定の外部出力情報を受信した回数を計数する特定回数計数手段と、
前記特定回数計数手段が計数した前記特定の外部出力情報の受信回数を表示する回数表示手段と、
を備える
ことを特徴としている。
本発明の請求項３に記載の遊技用システムは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンであり、
遊技の制御を行う遊技制御手段と、
遊技制御手段から送信される制御情報に基づいて演出の制御を行う演出制御手段と、
遊技者が表示結果を導出させるために操作する導出操作手段と、
価値の付与を伴う識別情報の組合せと付与される価値とが対応付けて表示される配当表示手段と、
を備え、
前記遊技制御手段は、
表示結果が導出される前に、導出が許容される表示結果の組合せを決定する事前決定手段と、
前記表示結果を導出する制御を行う導出制御手段と、
遊技に関連する情報を外部出力する制御を行う外部出力制御手段と、
を含み、
前記導出制御手段は、前記事前決定手段の決定結果が所定結果である場合に、第１操作態様で操作されたときと第２操作態様で操作されたときとで有利度が変わらない表示結果の組合せを導出させる制御を行い、
前記外部出力制御手段は、前記事前決定手段の決定結果が所定結果であり、かつ前記第１操作態様で操作されたときに、特定の外部出力情報を出力する制御を行い、
前記演出制御手段は、
前記事前決定手段の決定結果が前記所定結果となった場合に、前記第１操作態様で操作させるか否かを判定する導出判定手段と、
前記導出判定手段が、前記第１操作態様で操作させると判定した場合に、前記第１操作態様を報知し、前記第１操作態様で操作させないと判定した場合に、前記第２操作態様を報知する操作態様報知手段と、
を含むスロットマシンと、
該スロットマシンから出力された前記特定の外部出力情報を受信可能な遊技用装置と、
からなり、
前記遊技用装置は、
前記スロットマシンから出力された前記特定の外部出力情報を受信した回数を計数する特定回数計数手段と、
前記特定回数計数手段が計数した前記特定の外部出力情報の受信回数を表示する回数表示手段と、
を備える
ことを特徴としている。
本発明の手段１のスロットマシンは、
遊技用価値を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
遊技の制御を行う遊技制御手段（メイン制御部４１）と、
遊技制御手段から送信される制御情報（コマンド）に基づいて演出の制御を行う演出制御手段（サブ制御部９１）と、
前記可変表示装置に表示結果を導出させる際に操作される導出操作手段（ストップスイッチ８Ｌ、８Ｃ、８Ｒ）と、
を備え、
前記遊技制御手段（メイン制御部４１）は、
前記可変表示装置に表示結果が導出される前に入賞の発生を許容するか否かを決定する事前決定手段（内部抽選）と、
前記事前決定手段の決定結果（内部抽選の結果）及び前記導出操作手段の操作態様（停止操作のタイミング、停止順など）に応じて前記可変表示装置に表示結果を導出させる制御を行う導出制御手段と、
遊技に関連する情報（外部出力信号）を外部出力する制御を行う外部出力制御手段と、
を含み、
前記導出制御手段は、前記事前決定手段の決定結果が所定結果（リプレイＧＲ４１〜４４）である場合に、所定の操作態様で前記導出操作手段が操作された場合に、第１の所定表示結果（下段リプレイ）を導出させる制御を行い、前記所定の操作態様とは異なる操作態様で前記導出操作手段が操作された場合に、前記第１の所定表示結果が導出された場合と有利度が変わらない第２の所定表示結果（通常リプレイ）を導出させる制御を行い、
前記外部出力制御手段は、前記有利遊技状態（通常・ＲＴ０、通常・ＲＴ２）において前記第１の所定表示結果（下段リプレイ）が導出されたときに、特定の外部出力情報（下段リプレイ信号）を出力する制御を行い、
前記演出制御手段は、
前記事前決定手段の決定結果が前記所定結果（リプレイＧＲ４１〜４４）となった場合に、前記特定の外部出力情報（下段リプレイ信号）の出力を伴う前記第１の所定表示結果（下段リプレイ）を導出させるか否かを判定する導出判定手段と、
前記導出判定手段が、前記第１の所定表示結果を導出させると判定した場合に、前記第１の所定表示結果（下段リプレイ）を導出させる操作態様を認識可能に報知し、前記第１の所定表示結果を導出させないと判定した場合に、前記第２の所定表示結果（通常リプレイ）を導出させる操作態様を認識可能に報知する所定操作態様報知手段（特殊ナビ演出）と、
を含む
ことを特徴としている。
この特徴によれば、外部出力制御手段は、第１の所定表示結果が導出されたときに、特定の外部出力情報を出力するとともに、事前決定手段の決定結果が第１の所定表示結果が導出されうる所定結果となった場合に、導出操作手段の操作態様に応じて第１の所定表示結果または第１の所定表示結果が導出された場合と有利度が変わらない第２の所定表示結果のいずれか一方が導出されるようになっており、演出制御手段は、事前決定手段の決定結果が所定結果となった場合に、特定の外部出力信号を出力させる場合には、第１の所定表示結果を導出させる操作態様を報知し、特定の外部出力信号を出力させない場合には、第２の所定表示結果を導出させる報知態様を報知し、遊技者に対して報知された操作態様での導出操作手段の操作を促すことにより、遊技制御手段の制御状態が同じであっても、特定の外部出力信号を演出制御手段によって出力させるか否かをコントロールできるようになるため、遊技制御手段から出力される外部出力信号により、遊技制御手段の制御状態が同じであっても、外部の遊技用装置に対して異なる状況として認識させることができる。
尚、導出操作手段の操作態様とは、導出操作手段が操作されたタイミングや、導出操作手段が複数ある場合の操作順などが該当する。
また、所定操作態様報知手段は、操作態様を特定可能に報知されるものであれば良く、操作態様そのものを報知するものに限らず、操作態様を示唆する演出や操作態様を暗示する演出により操作態様を報知するものでも良い。
また、導出判定手段は、前記事前決定手段の決定結果が前記所定結果となった場合に、前記演出制御手段が制御する制御状態に応じて前記特定の外部出力情報の出力を伴う前記第１の所定表示結果を導出させるか否かを判定するものでも良いし、遊技制御手段の制御状態の履歴または演出制御手段の制御状態の履歴に応じて前記特定の外部出力情報の出力を伴う前記第１の所定表示結果を導出させるか否かを判定するものでも良い。